(57)【要約】  【課題】    電子ビームのスポット形状に与える影響を少なくしつつ、上下及び左右のピンクッション歪みを補正する偏向装置、及び前記偏向装置を備えた陰極線管装置を提供する  【解決手段】  環状磁性体３０に巻回された補正コイル３２ａ〜３２ｄは、電子ビームが画面右側に偏向される際は、上方から下方に向く磁界を、電子ビームが画面左側に偏向される際は、下方から上方に向く磁界を発生させるので、画面のコーナー付近に照射される電子ビームに、画面中心方向へのローレンツ力が作用する。  【選択図】  図３
2005129353.tif 000002
【特許請求の範囲】
【請求項１】
陰極線管の外周に配され、電子銃から射出された電子ビームを垂直偏向コイルおよび水平偏向コイルによって偏向し、略方形をした蛍光体スクリーンを走査する偏向装置であって、
陰極線管に外挿された環状磁性体と、
当該環状磁性体の、前記蛍光体スクリーンの各コーナーに対応する位置に巻回された補正コイルとを有し、
前記環状磁性体内周側の、前記補正コイルの近傍を除く領域に、
電子ビームが右側に偏向される際、上方から下方に向く磁界が、
電子ビームが左側に偏向される際、下方から上方に向く磁界が、
発生するように前記各補正コイルに電流が流されることを特徴とする偏向装置。
【請求項２】
前記補正コイルに、前記水平偏向コイルに流される電流と同期した電流が流されることを特徴とする請求項１記載の偏向装置。
【請求項３】
各コーナーに対応して設けられた４個の前記各補正コイルは、その中心が管軸を含む水平面から垂直面に向かう管軸周りの角度がほぼ３０°となる位置に配されることを特徴とする請求項１または２記載の偏向装置。
【請求項４】
陰極線管の外周に配され、電子銃から射出された電子ビームを垂直偏向コイルおよび水平偏向コイルによって偏向し、略方形をした蛍光体スクリーンを走査する偏向装置であって、
陰極線管に外挿された環状磁性体と、
当該環状磁性体の、前記蛍光体スクリーンの各コーナーに対応する位置に巻回された補正コイルとを有し、
前記環状磁性体内周側の、前記補正コイルの近傍を除く領域に、
電子ビームが上側に偏向される際、左方から右方に向く磁界が、
電子ビームが下側に偏向される際、右方から左方に向く磁界が、
発生するように前記各補正コイルに電流が流されることを特徴とする偏向装置。
【請求項５】
前記補正コイルに、前記垂直偏向コイルに流されると同期した電流が流されることを特徴とする請求項４記載の偏向装置。
【請求項６】
各コーナーに対応して設けられた４個の前記各補正コイルは、その中心が管軸を含む垂直面から水平面に向かう管軸周りの角度がほぼ３０°となる位置に配されることを特徴とする請求項４または５記載の偏向装置。
【請求項７】
前記環状磁性体は、管軸方向において、
前記水平偏向コイルの前記蛍光体スクリーン側端部と
前記垂直偏向コイルの前記蛍光体スクリーン側端部との間に配されることを特徴とする請求項１〜６のいずれか１項に記載の偏向装置。
【請求項８】
請求項１〜７のいずれか１項に記載の偏向装置を、陰極線管のファンネルの外周に備えたことを特徴とする陰極線管装置。
【発明の詳細な説明】
【技術分野】
【０００１】
本発明は、偏向装置及び当該偏向装置を備えた陰極線管装置に関し、特に、ピンクッション歪みを補正する技術に関する。
【背景技術】
【０００２】
陰極線管装置の蛍光体スクリーンは、電子ビームの偏向点を中心とした球面ではないので、蛍光体スクリーンの周辺ほど当該偏向点からの距離が長くなる。このため、電子ビームの振れは蛍光体スクリーンの四隅で最も大きくなり、画面上下方向及び画面左右方向にピンクッション歪と呼ばれるラスター歪が生じる。
このピンクッション歪みを補正するために、永久磁石を用いる技術が、従来から行われている（例えば、特許文献１参照）。
【０００３】
図１０（ａ）は、永久磁石を用いた従来技術の一例を示す図である。同図に示すように、偏向装置の蛍光体スクリーン側前端の四隅付近にそれぞれ永久磁石１００ａ，１００ｂ，１００ｃ，１００ｄが配置されている。
各永久磁石１００ａ〜１００ｄの発する磁力線により、画面のコーナー付近に偏向された電子ビーム（白い丸で図示）に、白抜き矢印で示すような画面中心方向へのローレンツ力が与えられる。この結果、図１０（ｂ）に示すように、破線で示す上下及び左右方向のピンクッション歪みが補正されて、略矩形のラスターを得ることができる。
【特許文献１】実開昭６１−１９６４５１号公報
【発明の開示】
【発明が解決しようとする課題】
【０００４】
しかしながら、従来技術の方法においては、ピンクション歪みを補正する磁界の影響により、電子ビームの、スクリーン上でのスポット形状が歪むという問題を有している。
図１１は、永久磁石によって発生する磁界が、画面右方向に偏向された電子ビームのスポット形状に与える影響を示す模式図である。ここで、画面右方向とは、画面正面から電子銃側を見たときに、管軸と直交する垂直面上より右方向であることを意味している。
【０００５】
同図において、磁力線は実線矢印で示し、白抜き矢印は電子ビームが受けるローレンツ力を示している。また、１０２は永久磁石１００ａのＮ極と、永久磁石１００ｄのＳ極の最短距離を通る軸を示す。
軸１０２より左側を通過する電子ビーム１０４の右端における磁界は、電子ビームの左端における磁界より強いため、電子ビーム１０４の右端に作用するローレンツ力は、電子ビームの左端に作用するローレンツ力より強い。このため、電子ビーム１０４のスポット形状は、１０６に示すような、横長の楕円形に歪んでしまう。
【０００６】
また同様に、軸１０２より右側を通過する電子ビーム１０８の左端における磁界は、電子ビームの右端における磁界より強い。このため、電子ビーム１０８の形状は、１１０に示すような縦長の楕円形に歪む。なお、画面左側、画面上側及び画面下側に偏向された電子ビームにおいても、同様の理由でそのスポット形状が歪む。
一般に、電子ビームのスポット形状は、径が小さく、かつ、円に近いほど高い解像度を得ることができるが、上述のように電子ビームのスポット形状が歪むと、画面の解像度を劣化させてしまうこととなる。
【０００７】
上記した課題に鑑み、本発明は、電子ビームのスポット形状に与える影響を少なくしつつ、画面上下及び左右のピンクッション歪みを補正する偏向装置、及び当該偏向装置を備えた陰極線管装置を提供することを目的とする。
【課題を解決するための手段】
【０００８】
上記の目的を達成するため、本発明に係る偏向装置は、陰極線管の外周に配され、電子銃から射出された電子ビームを垂直偏向コイルおよび水平偏向コイルによって偏向し、略方形をした蛍光体スクリーンを走査する偏向装置であって、陰極線管に外挿された環状磁性体と、当該環状磁性体の、前記蛍光体スクリーンの各コーナーに対応する位置に巻回された補正コイルとを有し、前記環状磁性体内周側の、前記補正コイルの近傍を除く領域に、電子ビームが右側に偏向される際、上方から下方に向く磁界が、電子ビームが左側に偏向される際、下方から上方に向く磁界が、発生するように前記各補正コイルに電流が流されることを特徴とする。
【０００９】
また、前記補正コイルに、前記水平偏向コイルに流される電流と同期した電流が流されることを特徴とする。
また、さらに、各コーナーに対応して設けられた４個の前記各補正コイルは、その中心が管軸を含む水平面から垂直面に向かう管軸周りの角度がほぼ３０°となる位置に配されることを特徴とする。
【００１０】
上記の目的を達成するため、本発明に係る偏向装置は、陰極線管の外周に配され、電子銃から射出された電子ビームを垂直偏向コイルおよび水平偏向コイルによって偏向し、略方形をした蛍光体スクリーンを走査する偏向装置であって、陰極線管に外挿された環状磁性体と、当該環状磁性体の、前記蛍光体スクリーンの各コーナーに対応する位置に巻回された補正コイルとを有し、前記環状磁性体内周側の、前記補正コイルの近傍を除く領域に、電子ビームが上側に偏向される際、左方から右方に向く磁界が、電子ビームが下側に偏向される際、右方から左方に向く磁界が、発生するように前記各補正コイルに電流が流されることを特徴とする。
【００１１】
また、前記補正コイルに、前記垂直偏向コイルに流される電流と同期した電流が流されることを特徴とする。
また、さらに、各コーナーに対応して設けられた４個の前記各補正コイルは、その中心が管軸を含む垂直面から水平面に向かう管軸周りの角度がほぼ３０°となる位置に配されることを特徴とする。
【００１２】
また、前記磁性体は、前記水平偏向コイルの前記蛍光体スクリーン側端部と前記垂直偏向コイルの前記蛍光体スクリーン側端部との間に配されることを特徴とする。
上記の目的を達成するため、本発明に係る陰極線管装置は、上記の偏向装置を、陰極線管のファンネルの外周に備えたことを特徴とする。
【発明の効果】
【００１３】
本発明に係る偏向装置によれば、陰極線管に外挿された環状磁性体と、当該環状磁性体に巻回され、その設置位置が管軸周りにおける、前記蛍光体スクリーンの各コーナーと対応させてある補正コイルとを有し、前記環状磁性体内周側の、前記補正コイルの近傍を除く領域に、電子ビームが右側に偏向される際、上方から下方に向く磁界が、電子ビームが左側に偏向される際、下方から上方に向く磁界が、発生している。これにより、コーナー付近には、上下左右のピンクッション歪みを補正するに必要な磁界を発生させることができると共に、各補正コイル同士間で発生する磁力線の多くは環状磁性体内部を通過するため、電子ビームのスポット形状に与える影響を、従来より少なくすることができる。
【発明を実施するための最良の形態】
【００１４】
（実施の形態１）
以下、本発明の実施の形態に係る陰極線管装置１０及び偏向装置２０について、図面を参照しながら説明する。
図１は、本実施の形態に係る陰極線管装置１０の概略構成を示す図である。当該陰極線管装置１０は７インチ型、アスペクト比４：３、最大偏向角９０°である。ここで、本明細書においては、Ｘ-Ｙ-Ｚ直交座標系を、陰極線管装置１０の管軸をＺ軸とし、Ｚ軸を含む水平面上にあってＺ軸と直交する軸をＸ軸、Ｚ軸を含む垂直面上にあってＺ軸と直交する軸をＹ軸として定めることとする。また、本明細書では、スクリーン側から電子銃を見たときの、Ｘ軸を境界として上下を定義し、Ｙ軸を境界として左右を定義する。
【００１５】
陰極線管装置１０は、内側に蛍光体スクリーン（不図示）が形成されているガラス製の前面パネル２と、漏斗状をしたファンネル４と、前記ファンネル４のネック部内に収納されたインライン型の電子銃６と、前記ファンネル４の外周に装着された偏向装置２０とを備えている。また、陰極線管装置１０において、電子銃６からスクリーン側に射出された電子ビームは、偏向装置２０が発生させる偏向磁界の作用を受けて偏向され、前面パネル２内面の略方形をした蛍光体スクリーン上を走査する。
【００１６】
次に、本発明の実施の形態に係る偏向装置２０について説明する。図２は当該偏向装置２０の側面図である。
偏向装置２０は、水平偏向コイル部２２と、垂直偏向コイル部２６と、環状磁性体３０とを備えている。
水平偏向コイル部２２は、樹脂製のセパレータ２３の内側にサドル状に巻線された上下一対のコイル（水平偏向コイル２２１、図３参照）が配されてなり、スクリーン側端部である大径側にフランジ部２４を有する。これにより、電子ビームを水平（左右）方向に偏向させるピンクッション形の水平偏向磁界が形成される。
【００１７】
垂直偏向コイル部２６は、セパレータ２３の外側にサドル状に巻線された一対のコイル（垂直偏向コイル２６１、図８参照）を左右に配してなり、スクリーン側端部である大径側に、フランジ部２８を有する。これにより、電子ビームを垂直（上下）方向に偏向させるバレル形の垂直偏向磁界が形成される。なお、垂直偏向コイル部２６にはラッパ状のフェライトコア２７が外挿されている。
【００１８】
環状磁性体３０は、その環状の中心が管軸と略一致するように、水平偏向コイルの大径側フランジ部２４と、垂直偏向コイルの大径側フランジ部２８の間に配され、例えば、接着剤などでセパレータ２３に固定される。
図３（ａ）は、補正コイル３２ａ，３２ｂ，３２ｃ，３２ｄが巻回された環状磁性体３０の正面図である。
【００１９】
環状磁性体３０には、補正コイル３２ａ〜３２ｄが、管軸を含む水平面と垂直面とで４分割された各領域に、後述する所定の巻角で１個ずつ配されており、かつ、管軸周りにおける、前記蛍光体スクリーンの各コーナー対応させてある位置に設けられている。
この補正コイル３２ａ〜３２ｄは、図面が煩雑になるのを避けるために巻回数を簡略化しているが、それぞれ線径０．４[ｍｍ]の銅線が４０ターン巻回されている。また、補正コイル３２ａ〜３２ｄは、水平偏向コイル２２１と直列に接続されており、これにより水平偏向コイル２２１に流される電流と同期した電流が流される。
【００２０】
図３（ｂ）は、環状磁性体３０の正面図と側面図である。当該環状磁性体３０の材質はフェライトであり、その外径は７０ｍｍ、内径は６０ｍｍ、厚みは７ｍｍである。また、当該環状磁性体３０の横断面の形状は略矩形であり、例えば、円筒形に成形した磁性体を所定の幅で輪切りすることにより容易に製造できるようになっている。
次に、補正コイルの作用について、図４，５を参照しながら説明する。
【００２１】
図４（ａ）は電子ビームが右に偏向される際の、補正コイル３２ａ〜３２ｄが発生させる磁界分布を示す図である。また、図５は、図４（ａ）の補正コイル３２ａ付近の部分拡大図である。
まず、電子ビームが画面垂直軸（Ｙ軸）より右側に偏向される際には、図４（ａ）に示すように、補正コイル３２ａ〜３２ｄに、水平偏向コイル２２１に流される電流と同期した電流が、破線矢印Ａで示す向きから流される。補正コイル３２ａ〜３２ｄに当該電流が流されることにより、環状磁性体３０内周側に実線の矢印に示すような磁界が発生する。図４（ａ）から明らかなように、この場合には、環状磁性体３０の内周側の補正コイル３２ａ〜３２ｄの近傍を除く大半の領域においては、上方から下方に向けて略斉一な磁界が発生することがわかる。なお、同図において、環状磁性体３０内部の磁力線を破線矢印で示している。また、図面が煩雑になるのを避けるため、環状磁性体３０内部の磁力線は一本で示している。
【００２２】
これに対して、電子ビームが画面垂直軸より左側に偏向される際には、図４（ｂ）に示すように、補正コイル３２ａ〜３２ｄに、水平偏向コイル２２１に流される電流と同期した電流が、破線矢印Ｂで示す向きから流される。このため、磁力線の向きは、電子ビーム右側偏向時と反対向きとなり、環状磁性体３０の内周側の補正コイル３２ａ〜３２ｄの近傍を除く大半の領域においては、下方から上方に向く磁界が発生することとなる。
【００２３】
画面右上のコーナー付近に偏向された電子ビーム３４に対しては、図５に示すように、補正コイル３２ａ〜３２ｄに電流が流されることにより、実線の矢印で示すような磁界が発生する。このため、電子ビーム３４には白抜き矢印で示すようなローレンツ力が作用し、軌道が画面中心方向に変位することとなる。
これと同様に、画面右下、画面左上、画面左下のコーナー付近に照射される電子ビームに対しても、画面中心方向へのローレンツ力が作用し、ピンクッション歪みを補正することができる。
【００２４】
次に、環状磁性体３０における補正コイル３２ａ〜３２ｄの好適な位置を調べるために、環状磁性体に巻回する各補正コイルの位置を変えて、当該各補正コイルが発生する磁界（以下、「補正磁界」という。）の強度について測定を行った。
図６（ａ）は、上記測定方法を説明するための概略図である。同図において、θ（０°＜θ＜９０°）は、補正コイル３２ａ〜３２ｄの中心部がなす、水平面からの管軸周りの角度である。θは、具体的には、各補正コイル３２ａ〜３２ｄの巻き始めの角度をα、巻き終わりの角度をβとすると、θ＝（α＋β）／２で定義される。
【００２５】
補正コイルに一定の電流を流して上方から下方へ磁界を発生させた場合において、３方向の磁束密度を測定することが可能な３次元磁界プローブ３６を、破線矢印で示すように、Ｘ軸上に沿って動かして、Ｙ軸方向の上から下向きの磁束を正として測定したところ、図６（ｂ）に示すような結果が得られた。同図において、実線３８はθ＜３０°のとき、実線４０はθ＝３０°のとき、実線４２は３０°＜θ＜９０°のときのＸ軸上の磁束密度分布を示している。
【００２６】
図６（ｂ）に示す測定結果より、θ＝３０°のときにＸ軸上における磁束密度が均一となるため、スポット形状に影響を与えない最適な位置であるといえる。
図７は、θ＝３０°のとき、画面右方向に偏向され、かつ、環状磁性体３０（図４（ａ）参照）のＸ軸上付近を通過する電子ビームが受ける磁界の影響を模式的に示す図である。同図において、磁力線を実線で示し、電子ビーム４４が受けるローレンツ力を白抜き矢印で示している。
【００２７】
前述のように、Ｘ軸上においては、補正磁界の垂直方向成分の磁束密度が略均一であるため、電子ビーム４４の受けるローレンツ力は、スポットの、どの部分においても等しい。従って、電子ビーム４４の形状は、補正磁界によっては歪まない。このことは、電子ビームが画面左方向に偏向されているときでも同じである。
このようにθ＝３０°の位置を中心にコイルを各補正巻回すると、Ｘ軸付近を通過する電子ビームのスポット形状を歪ませることなく、ピンクッション歪みを補正することができる。
【００２８】
なお、図６（ｂ）では、θ＜３０°、θ＞３０°の場合について磁束密度の変化をやや誇張して表しているが、実際にはθが３０°に近いほど直線に近くなることは言うまでもない。したがって、θが３０°から多少ずれた角度であっても、θが３０°付近であるならば、Ｘ軸付近を通過する電子ビームのスポット形状の、補正磁界による歪みを、従来よりは大幅に少なくすることができる。
【００２９】
また、電子ビームが水平偏向されない場合、補正コイル３２ａ〜３２ｄに電流は流されないことから、補正磁界は発生しないので、Ｙ軸付近を通過する電子ビームのスポット形状も歪ませないことができる。
次に、図２に戻って、補正コイル３２が巻回された環状磁性体３０を水平偏向コイル部２２の大径側フランジ部２４と垂直偏向コイル部２６の大径側フランジ部２８の間に配している点について説明する。
【００３０】
環状磁性体３０を偏向装置の電子銃側に近づけ過ぎると、電子銃を通過中の電子ビームに補正磁界が作用して、コンバーゼンスへ影響を与えてしまうおそれがある。反対に、環状磁性体３０を偏向装置２０よりスクリーン側に配すると、偏向中心点から遠くなり過ぎ、ピンクション歪みを補正するために、より強い補正磁界が必要となり、このために例えば、コイルの巻数を多くしなければならず、コスト高を招いてしまう。また、水平偏向周波数は数十ｋＨｚといった高周波数であり、水平偏向コイルは発熱量が大きいため、その放熱のために、水平偏向コイルのスクリーン側には空間を設けることが必要である。さらには、環状磁性体３０をフェライトコア２７の外側の位置に設けると、補正磁界の多くがフェライトコア２７に吸収されてしまうため好ましくない。
【００３１】
そこで、本実施の形態においては、環状磁性体を上述の位置に配している。
（実施の形態２）
本実施の形態は、各補正コイルの位置、巻回方向などが異なっている以外は、基本的に実施の形態１と同じ構成である。したがって、共通する部分の説明は省略し、異なる部分を中心に説明する。
【００３２】
図８（ａ）（ｂ）は、補正コイル３３ａ，３３ｂ，３３ｃ，３３ｄが巻回された環状磁性体３０の正面図である。
環状磁性体３０には、補正コイル３３ａ〜３３ｄが、管軸を含む水平面と垂直面とで４分割された各領域に、後述する所定の巻角で１個ずつ配されており、かつ、管軸周りにおける、前記蛍光体スクリーンの各コーナーに対応させて設けられている。
【００３３】
補正コイル３３ａ〜３３ｄは、図面が煩雑になるのを避けるために巻回数を簡略化しているが、それぞれ線径０．４[ｍｍ]の銅線が４０ターン巻回されている。また、補正コイル３３ａ〜３３ｄは、垂直偏向コイル２６１と直列に接続されており、垂直偏向コイル２６１と同期した電流が流される。なお、本実施の形態に係る偏向装置の補正コイル３３ｂ，３３ｄは、実施の形態１で説明した補正コイル３２ｂ，３２ｄ（図４参照）と、それぞれ銅線の巻回方向が逆となっている。
【００３４】
次に、補正コイルの作用について説明する。
電子ビームが画面水平軸（Ｘ軸）より上側に偏向される際には、図８（ａ）に示すように、補正コイル３３ａ〜３３ｄに、垂直偏向コイル２６１に流される電流と同期した電流が、破線矢印Ｄで示す向きから流される。補正コイル３３ａ〜３３ｄに当該電流が流されることにより、各補正コイル３３ａ〜３３ｄの近傍には実線の矢印に示すような磁界が発生する。特に図示していないが、この場合には、環状磁性体３０の内周側の補正コイル３３ａ〜３３ｄの近傍を除く大半の領域においては、左方から右方に磁界が発生する。
【００３５】
これに対して、電子ビームが画面水平軸より下側に偏向される際には、図８（ｂ）に示すように、補正コイル３３ａ〜３３ｄに、垂直偏向コイル２６１に流されると同期した電流が、破線矢印Ｃで示す向きから流される。このため、実線の矢印で示す磁力線の向きは、電子ビーム上側偏向時と反対向きとなり、環状磁性体３０の内周側の補正コイル３３ａ〜３３ｄの近傍を除く大半の領域においては、右方から左方に向く磁界が発生する。
【００３６】
本実施の形態において、電子ビームが右上に偏向された場合を例に挙げて説明すると、実施の形態１の場合（図５参照）に比べて、補正コイル３３ａの位置がコーナー部より、やや上方に位置することになるため、電子ビームに作用するローレンツ力が画面中心方向より、やや下向きとなるが、ピンクション歪が目立たない程度に補正することは可能である。
【００３７】
次に、環状磁性体３０における補正コイル３３ａ〜３３ｄの好適な位置を調べるために、環状磁性体に巻回する補正コイルの位置を変えて、補正磁界の強度について測定を行った。
図９（ａ）は、上記測定方法を説明するための概略図である。同図において、δ（０°＜δ＜９０°）は、補正コイル３３ａ〜３３ｄの中心部がなす、垂直面からの管軸周りの角度である。
【００３８】
補正コイルに一定の電流を流して左方から右方へ磁界を発生させた場合において、３方向の磁束密度を測定することが可能な３次元磁界プローブ３６を、破線矢印で示すように、Ｙ軸上に沿って動かして、Ｘ軸方向の左から右向きの磁束を正として測定したところ、図９（ｂ）に示すような結果が得られた。同図において、実線４６はδ＜３０°のとき、実線４８はδ＝３０°のとき、実線５０は３０°＜δ＜９０°のときのＹ軸上の磁束密度分布を示している。
【００３９】
図９（ｂ）に示す測定結果より、δ＝３０°のときにＹ軸上における磁束密度が均一となるため、スポット形状に影響を与えない最適な位置であるといえる。そして、勿論、δが３０°から多少ずれた角度であっても、δが３０°付近であるならば、Ｙ軸付近を通過する電子ビームのスポット形状の、補正磁界による歪みを、従来よりは大幅に少なくすることができる。このことは、電子ビームが画面下方向に偏向され、右方から左方に向く磁界が発生しているときでも同じである。
【００４０】
また、電子ビームが垂直偏向されない場合には、補正磁界は発生しないので、Ｘ軸付近を通過する電子ビームのスポット形状も歪ませないことができる。
（変形例）
本発明を実施の形態に基づいて説明してきたが、上述の実施の形態に限定されないのは勿論であり、以下のような変形例が考えられる。
（１）上記各実施の形態では、横断面が略矩形である環状磁性体を用いているが、例えば断面が、略円形である環状磁性体を用いても構わない。断面が略円形ならば、コイルの巻回が容易という利点もある。
（２）環状磁性体は必ずしも完全なリング状でなくてもよく、例えば、一部を切り欠いたＣ字状の磁性体を用いても構わないし、２つの半円状のものを組み合わせてリング状としたものを用いてもよい。また、環状磁性体は、例えば、偏向装置のスクリーン側の開口部の形状に応じて、長軸が水平方向軸と略一致する楕円形としても構わない
（３）上記各実施の形態では、４個の補正コイルと、水平または垂直偏向コイルとを直列に接続しているが、並列に接続してもかまわない。また、４個すべての補正コイルの巻回方向を逆にして、水平または垂直偏向コイルに流される電流と、位相を１８０°ずらした電流を補正コイルに流すとしても構わない。
（４）上記各実施の形態では、水平及び垂直偏向コイルに大径側フランジ部を有しているが、水平及び垂直偏向コイルは、フランジ部を有さないものでもよく、例えば、ベントレスタイプの偏向コイルでも構わない。要するに、環状磁性体は、管軸方向において、水平偏向コイルの蛍光体スクリーン側端部と、垂直偏向コイルの蛍光体スクリーン側との間に配すればよい。
【産業上の利用可能性】
【００４１】
本発明にかかる偏向装置は、電子ビームのスポット形状に与える影響を少なくしつつ、上下及び左右のピンクッション歪みを補正することができるので、陰極線管装置等の用途に適用できる。
【図面の簡単な説明】
【００４２】
【図１】実施の形態１に係る陰極線管装置の概略図である。
【図２】実施の形態１に係る偏向装置の概略図である。
【図３】（ａ）は補正コイルが巻回された環状磁性体３０の正面図であり、（ｂ）は環状磁性体３０の正面図と側面図である。
【図４】（ａ）は電子ビームが右に偏向された際の、（ｂ）は電子ビームが左に偏向された際の、環状磁性体３０の正面図である。
【図５】図４（ａ）の右上部分の拡大図である。
【図６】（ａ）は補正コイルが巻回された環状磁性体３０の正面図であり、（ｂ）はＸ軸上の位置と、補正磁界の強さの関係を表すグラフである。
【図７】Ｘ軸付近において、電子ビームが補正磁界から受ける影響を示す模式図である。
【図８】実施の形態２に係り、（ａ）は電子ビームが上に偏向された際の、（ｂ）は電子ビームが下に偏向された際の、環状磁性体３０の正面図である。
【図９】（ａ）は補正コイルが巻回された環状磁性体３０の正面図であり、（ｂ）はＹ軸上の位置と、補正磁界の強さの関係を表すグラフである。
【図１０】（ａ）は、従来技術に係る永久磁石を用いたピンクッション歪み補正の構成を示す模式図であり、（ｂ）はピンクッション歪みが補正される様子を示す模式図である。
【図１１】従来技術に係り、永久磁石が電子ビームの形状へ与える影響を示す模式図である。
【符号の説明】
【００４３】
２              前面パネル
４              ファンネル
６              電子銃
１０              陰極線管装置
２０              偏向装置
２２              水平偏向コイル部
２６              垂直偏向コイル部
３０              環状磁性体
３２ａ〜３２ｄ    補正コイル
３３ａ〜３３ｄ    補正コイル
３４              電子ビーム
２２１              水平偏向コイル
２６１              垂直偏向コイル
【図１】
2005129353.tif 000003
【図２】
2005129353.tif 000004
【図３】
2005129353.tif 000005
【図４】
2005129353.tif 000006
【図５】
2005129353.tif 000007
【図６】
2005129353.tif 000008
【図７】
2005129353.tif 000009
【図８】
2005129353.tif 000010
【図９】
2005129353.tif 000011
【図１０】
2005129353.tif 000012
【図１１】
2005129353.tif 000013